(57)【要約】    【課題】  異機種間で楽器用フレームを共用化できると共に、鍵盤ユニットと音響発生ユニットの個別着脱を容易にする。    【解決手段】  両フレーム体ＬＦＭ、ＲＦＭには、内側方向に相対向して、左、右サイドカバー１６Ｌ、１６Ｒが設けられ、それらの下部の水平部分が、鍵盤ユニットＫＢを保持するための鍵盤ユニット保持部１６Ｌａとなっている。左、右サイドカバー１６Ｌ、１６Ｒに固定されるステイ部材１７Ｌ、１７Ｒの下側の水平部分は、鍵盤ユニット保持部１６Ｌａ、１６Ｒａから１段下がった位置にあり、スピーカユニットＳＰを保持するためのスピーカユニット保持部１７Ｌａ、１７Ｒａとなっている。鍵盤ユニットＫＢ及びスピーカユニットＳＰは予め複数種類設けられ、任意の種類を選択的にフレームアセンブリＦＡＳに固定することで、異なる複数機種の電子鍵盤楽器が得られる。【選択図】    図２
2005099443.tif 000002
【特許請求の範囲】
【請求項１】
左右一対の脚体を連結体で連結して成る楽器用フレームと、
前記両脚体に設けられ、少なくとも鍵盤部を有する複数種類の鍵盤ユニットのうち任意の種類の鍵盤ユニットを選択的に保持可能な鍵盤ユニット保持部と、
前記両脚体に前記鍵盤ユニット保持部とは別個に設けられ、複数種類のうち任意の種類の音響発生ユニットを選択的に保持可能な音響発生ユニット保持部とを有することを特徴とする電子鍵盤楽器。
【請求項２】
左右一対の脚体を連結体で連結して成る楽器用フレームと、
少なくとも鍵盤部を有する鍵盤ユニットと、
音響発生ユニットと、
前記両脚体間の内側方向に相対向して該両脚体に設けられ、前記鍵盤ユニットの左右両端部の底部を保持する鍵盤ユニット保持部と、
前記両脚体間の内側方向に相対向して該両脚体に設けられ、前記音響発生ユニットの上部の左右両端部が固定されることで前記音響発生ユニットを保持する音響発生ユニット保持部とを有し、
前記音響発生ユニット保持部は、前記鍵盤ユニット保持部より低い位置に設けられて、前記音響発生ユニットの上部の前記左右両端部が該音響発生ユニット保持部に固定されていない状態では、前記音響発生ユニットを奥行き方向にスライド移動自在に仮保持可能であり、且つ、前記音響発生ユニットのスライド移動の際に、前記音響発生ユニットと前記鍵盤ユニット保持部に保持された鍵盤ユニットとが干渉しないように、前記鍵盤ユニットの底部及び前記音響発生ユニットの上部がそれぞれ形成されたことを特徴とする電子鍵盤楽器。
【請求項３】
左右一対の脚体を連結体で連結して成る楽器用フレームと、
少なくとも鍵盤部及びメイン回路部を有する鍵盤ユニットと、
前記鍵盤ユニットの直下に配置された音響発生ユニットとを有し、
前記鍵盤ユニット及び前記音響発生ユニットは、それぞれの左右両端部が前記両脚体に直接的に固定されることで前記楽器用フレームに保持されるように構成されたことを特徴とする電子鍵盤楽器。
【請求項４】
前記楽器用フレームは、前記連結体により前記両脚体の後部同士が連結されることで、平面視において、奏者側が開口した略コ字状を呈し、前記鍵盤ユニットは、前記連結体よりも奏者側方向の位置で前記両脚体に固定され、前記鍵盤ユニットが前記両脚体に固定されたとき、前記楽器用フレームの開口側の開閉方向の動きが規制されるように構成されたことを特徴とする請求項３記載の電子鍵盤楽器。
【発明の詳細な説明】
【技術分野】
【０００１】
本発明は、鍵盤ユニット及び音響発生ユニットを楽器用フレームで保持するようにした電子鍵盤楽器に関する。
【背景技術】
【０００２】
従来、鍵盤部を含む鍵盤ユニットとスピーカを含む音響発生ユニットとを別体で構成した電子鍵盤楽器が知られている。電子鍵盤楽器では、楽器用フレームに設けられた棚板に対して鍵盤ユニット及び音響発生ユニットが固定されるのが一般的であり、棚板は、これら鍵盤ユニット及び音響発生ユニットを保持するだけでなく、楽器用フレームを補強する役割も果たしている。
【０００３】
また、下記特許文献１に示されるように、鍵盤ユニットの底部が棚板を構成し、鍵盤ユニットの底部に対して音響発生ユニットが固定されるようにした電子鍵盤楽器も知られている。
【０００４】
一方、下記特許文献２、３に示されるように、鍵盤ユニットを楽器用フレームに対して着脱可能に構成された電子鍵盤楽器も知られている。
【特許文献１】特開２００２−２４４６６１号公報
【特許文献２】特開昭６２−４６２３２号公報
【特許文献３】特開昭５７−１９７９３号公報
【発明の開示】
【発明が解決しようとする課題】
【０００５】
しかしながら、別体で構成した鍵盤ユニット及び音響発生ユニットを楽器用フレームに保持固定する際、より適切な配置乃至保持構成を採用する上で、改善の余地があった。
【０００６】
すなわち、一般的には、鍵盤ユニット及び音響発生ユニットは、着脱、あるいは他の種類のものと交換することを前提として構成されないため、鍵盤ユニット及び音響発生ユニットだけでなく、楽器用フレームについても、当該機種専用のものとなるのが通常である。
【０００７】
また、例えば、音響発生ユニットを他の種類のものと交換可能に構成したとしても、上記特許文献１に例示されるように、音響発生ユニットが、棚板乃至鍵盤ユニットの底部に対して下方から螺着固定されるように構成される場合は、音響発生ユニットの交換作業が容易でない。構成によっては、音響発生ユニット単独での着脱が容易でなかったり、音響発生ユニットの交換のために鍵盤ユニットの取り外しが必要になったりする場合もある。
【０００８】
さらに、鍵盤ユニットにメイン回路が含まれる場合等において、棚板が邪魔となって、鍵盤ユニットと音響発生ユニットとの間の配線が容易でない場合もあった。
【０００９】
本発明は上記従来技術の問題を解決するためになされたものであり、その第１の目的は、異機種間で楽器用フレームを共用化できると共に、鍵盤ユニットと音響発生ユニットの個別着脱を容易にすることができる電子鍵盤楽器を提供することにある。
【００１０】
本発明の第２の目的は、鍵盤ユニットが保持されたままで音響発生ユニットを単独で容易に着脱することができる電子鍵盤楽器を提供することにある。
【００１１】
本発明の第３の目的は、棚板を不要として鍵盤ユニットと音響発生ユニットとの配線を容易にすることができる電子鍵盤楽器を提供することにある。
【課題を解決するための手段】
【００１２】
上記第１の目的を達成するために本発明の請求項１の電子鍵盤楽器は、左右一対の脚体を連結体で連結して成る楽器用フレーム（ＦＡＳ）と、前記両脚体に設けられ、少なくとも鍵盤部を有する複数種類の鍵盤ユニットのうち任意の種類の鍵盤ユニット（ＫＢ）を選択的に保持可能な鍵盤ユニット保持部（１６Ｌａ、１６Ｒａ）と、前記両脚体に前記鍵盤ユニット保持部とは別個に設けられ、複数種類のうち任意の種類の音響発生ユニット（ＳＰ）を選択的に保持可能な音響発生ユニット保持部（１７Ｌａ、１７Ｒａ）とを有することを特徴とする。
【００１３】
この構成によれば、別個に設けられた鍵盤ユニット保持部と音響発生ユニット保持部とに、それぞれ複数種類の鍵盤ユニット、音響発生ユニットのうち任意の種類のものを選択的に保持させることが可能である。
【００１４】
上記第２の目的を達成するために本発明の請求項２の電子鍵盤楽器は、左右一対の脚体を連結体で連結して成る楽器用フレームと、少なくとも鍵盤部を有する鍵盤ユニットと、音響発生ユニットと、前記両脚体間の内側方向に相対向して該両脚体に設けられ、前記鍵盤ユニットの左右両端部（ＫＢａ１、ＫＢａ２）の底部を保持する鍵盤ユニット保持部と、前記両脚体間の内側方向に相対向して該両脚体に設けられ、前記音響発生ユニットの上部の左右両端部（３９ａ、３９ｂ）が固定されることで前記音響発生ユニットを保持する音響発生ユニット保持部とを有し、前記音響発生ユニット保持部は、前記鍵盤ユニット保持部より低い位置に設けられて、前記音響発生ユニットの上部の前記左右両端部が該音響発生ユニット保持部に固定されていない状態では、前記音響発生ユニットを奥行き方向にスライド移動自在に仮保持可能であり、且つ、前記音響発生ユニットのスライド移動の際に、前記音響発生ユニットと前記鍵盤ユニット保持部に保持された鍵盤ユニットとが干渉しないように、前記鍵盤ユニットの底部及び前記音響発生ユニットの上部がそれぞれ形成されたことを特徴とする。
【００１５】
この構成によれば、音響発生ユニット保持部は、鍵盤ユニット保持部より低い位置に設けられ、音響発生ユニットが固定されていない状態では奥行き方向にスライド移動自在に仮保持し、且つ、その際、音響発生ユニットと鍵盤ユニットとが干渉しない。
【００１６】
上記第３の目的を達成するために本発明の請求項３の電子鍵盤楽器は、左右一対の脚体を連結体で連結して成る楽器用フレームと、少なくとも鍵盤部及びメイン回路部を有する鍵盤ユニットと、前記鍵盤ユニットの直下に配置された音響発生ユニットとを有し、前記鍵盤ユニット及び前記音響発生ユニットは、それぞれの左右両端部が前記両脚体に直接的に固定されることで前記楽器用フレームに保持されるように構成されたことを特徴とする。
【００１７】
この構成によれば、鍵盤ユニット及び音響発生ユニットのそれぞれの左右両端部が両脚体に直接的に固定されるので、棚板がない構成であっても楽器用フレームに安定して保持される。しかも、音響発生ユニットは鍵盤ユニットの直下に配置され、棚板等が介在しないので、両者の配線の際に邪魔となる部材がない。
【発明の効果】
【００１８】
本発明の請求項１によれば、異機種間で楽器用フレームを共用化できると共に、鍵盤ユニットと音響発生ユニットの個別着脱を容易にすることができる。
【００１９】
本発明の請求項２によれば、鍵盤ユニットが保持されたままで音響発生ユニットを単独で容易に着脱することができる。
【００２０】
本発明の請求項３によれば、棚板を不要として鍵盤ユニットと音響発生ユニットとの配線を容易にすることができる。
【発明を実施するための最良の形態】
【００２１】
以下、本発明の実施の形態を図面を参照して説明する。
【００２２】
図１は、本発明の一実施の形態に係る電子鍵盤楽器の外観斜視図である。図２は、同電子鍵盤楽器の分解斜視図である。以降、本電子鍵盤楽器の奏者側を「前方」、奏者からみて本電子鍵盤楽器の左方、右方をそれぞれ「左方」、「右方」と呼称する。
【００２３】
図２に示すように、本電子鍵盤楽器は、フレームアセンブリＦＡＳに、鍵盤ユニットＫＢ、スピーカユニットＳＰ及びペダル鍵盤ユニットＰＫを組み付けて成る。鍵盤ユニットＫＢは、図示しない楽音形成回路、制御回路及び各種電気部品等が含まれるメイン回路部４０と、メイン回路部４０とは別体で構成される鍵盤部４１とで成り、メイン回路部４０の上に鍵盤部４１が重ねられて構成されている。鍵盤部４１とメイン回路部４０とは、分離及び結合が可能なように、所定箇所にてロックされている。また、鍵盤ユニットＫＢの左端部ＫＢａ１からは一体に形成される鍔部４２Ｌ、４３Ｌが、鍵盤ユニットＫＢの右端部ＫＢａ２からは一体に形成される鍔部４２Ｒ、４３Ｒが、鍵盤ユニットＫＢの本体から突出してそれぞれ延設される。
【００２４】
図２に示すように、フレームアセンブリＦＡＳは、左右一対の左側フレーム体ＬＦＭと右側フレーム体ＲＦＭとを、上側連結体２０ＡＳ及び下側連結体３０ＡＳで連結固定して構成される。左側フレーム体ＬＦＭは、主として、金属製でいずれも中空の、前側支柱フレーム１１Ｌ、上前半部フレーム１２Ｌ、上後半部フレーム１３Ｌ、後側支柱フレーム１４Ｌ及び底フレーム１５Ｌが一体に形成されて構成され、側面視略５角形を呈する。なお、これらフレームの一部を別体で構成し、他のフレームに対して溶接等で固定してもよい。右側フレーム体ＲＦＭについても、前側支柱フレーム１１Ｒ、上前半部フレーム１２Ｒ、上後半部フレーム１３Ｒ、後側支柱フレーム１４Ｒ及び底フレーム１５Ｒが一体に形成され、左側フレーム体ＬＦＭと左右対称に同様に構成される。
【００２５】
上側連結体２０ＡＳ、下側連結体３０ＡＳの各左端部２０ＡＳｃ、３０ＡＳｃが左側フレーム体ＬＦＭの後側支柱フレーム１４Ｌの上部、下部にそれぞれ固定され、上側連結体２０、下側連結体３０ＡＳの各右端部２０ＡＳｄ、３０ＡＳｄが、右側フレーム体ＲＦＭの後側支柱フレーム１４Ｒの上部、下部にそれぞれ固定される。
【００２６】
左側フレーム体ＬＦＭの底フレーム１５Ｌと右側フレーム体ＲＦＭの底フレーム１５Ｒとには、内側方向に相対向してＰＫ取付部１８Ｌ、１８Ｒが設けられる。一方、ペダル鍵盤ユニットＰＫの両端部の左右対称位置には、係止部１０Ｌ、１０Ｒ（係止部１０Ｌは図示せず）が突設されている。ＰＫ取付部１８Ｌ、１８Ｒには、係止部１０Ｌ、１０Ｒを嵌合保持するための凹部ｈ１が、上方に開口して設けられており、ペダル鍵盤ユニットＰＫの係止部１０Ｌ、１０ＲをＰＫ取付部１８Ｌ、１８Ｒに係止することで、ペダル鍵盤ユニットＰＫが両フレーム体ＬＦＭ、ＲＦＭに保持される。これにより、ペダル鍵盤ユニットＰＫがフレームアセンブリＦＡＳに簡単に組み付けられる。ペダル鍵盤ユニットＰＫが組み付けられたとき、ペダル鍵盤ユニットＰＫの底部あるいは図示しない脚部の底部が、設置面（床面）Ｇ（図１参照）に対してほぼ面一となる。従って、通常、少なくとも操作時においては、ペダル鍵盤ユニットＰＫが設置面Ｇによっても保持される。
【００２７】
左側フレーム体ＬＦＭと右側フレーム体ＲＦＭにはまた、内側方向に相対向して、それぞれ左サイドカバー１６Ｌ、右サイドカバー１６Ｒが設けられる。両サイドカバー１６Ｌ、１６Ｒは、例えば、溶接により両フレーム体ＬＦＭ、ＲＦＭにそれぞれ固定される。
【００２８】
図３（ａ）は、左サイドカバー１６Ｌ及びその関連部品の外観斜視図である。同図（ｂ）は、同図（ａ）のＢ−Ｂ線に沿う本電子鍵盤楽器の部分断面図である。
【００２９】
図３（ａ）、（ｂ）に示すように、左サイドカバー１６Ｌは、その下部が内側方向（右方）に屈曲し、内側方向に延びた水平部分が、鍵盤ユニットＫＢを保持するための鍵盤ユニット保持部１６Ｌａとなっている。鍵盤ユニット保持部１６Ｌａには、取り付け穴１６Ｌａａ、取り付け穴１６Ｌａｂが例えば２個ずつ設けられる。
【００３０】
また、鍵盤ユニット保持部１６Ｌａには、ステイ部材１７Ｌが取り付けられる。ステイ部材１７Ｌには、上下２つ水平部分が段差状に形成され、上側の水平部分にネジ穴１７Ｌｂが例えば３個形成され、鍵盤ユニット保持部１６Ｌａにもネジ穴１７Ｌｂに対応する不図示の穴が形成されている。この不図示の穴を介して下方からステイ部材１７Ｌのネジ穴１７Ｌｂにネジ止めすることで、鍵盤ユニット保持部１６Ｌａにステイ部材１７Ｌが固定される。ステイ部材１７Ｌの下側の水平部分は、鍵盤ユニット保持部１６Ｌａから１段下がったやや低い位置にあり、スピーカユニットＳＰを保持するためのスピーカユニット保持部１７Ｌａとなっている。スピーカユニット保持部１７Ｌａには、スピーカユニットＳＰを取り付けるための取り付け穴１７Ｌａａが例えば４個設けられる。
【００３１】
図３（ｂ）に示すように、右側フレーム体ＲＦＭにおいても同様に、鍵盤ユニット保持部１６Ｌａ、取り付け穴１６Ｌａａ、１６Ｌａｂと左右対称に、右サイドカバー１６Ｒに鍵盤ユニット保持部１６Ｒａ、取り付け穴１６Ｒａａ、１６Ｒａｂが設けられる。さらに、ステイ部材１７Ｌと左右対称にステイ部材１７Ｒが設けられ、ステイ部材１７Ｒには、ネジ穴１７Ｌｂ、スピーカユニット保持部１７Ｌａ、取り付け穴１７Ｌａａと左右対称に、ネジ穴１７Ｒｂ、スピーカユニット保持部１７Ｒａ、取り付け穴１７Ｒａａが設けられる。
【００３２】
図４は、鍵盤ユニットＫＢの下面図である。鍵盤ユニットＫＢの左端部ＫＢａ１において、例えば鍵盤部４１の下面にネジ穴４１ａ１が１つずつ、メイン回路部４０の下面にネジ穴４０ａ１が２つずつ設けられる。また、鍵盤ユニットＫＢの右端部ＫＢａ２において、鍵盤部４１の下面にネジ穴４１ａ２、メイン回路部４０の下面にネジ穴４０ａ２が、例えばそれぞれ２つずつ設けられる。
【００３３】
ネジ穴４１ａ１、４０ａ１、４１ａ２、４０ａ２は、それぞれ、鍵盤ユニット保持部１６Ｌａの取り付け穴１６Ｌａａ、１６Ｌａｂ、鍵盤ユニット保持部１６Ｒａの取り付け穴１６Ｒａａ、１６Ｒａｂに対応する。これら対応するもの同士の位置を合わせてネジ止めすることで、鍵盤ユニットＫＢが鍵盤ユニット保持部１６Ｌａ、１６Ｒａを介して左側フレーム体ＬＦＭ、右側フレーム体ＲＦＭに保持される。
【００３４】
鍵盤ユニットＫＢの鍔部４２Ｌ、４３Ｌ、及び鍔部４２Ｒ、４３Ｒは、側面視において、左側フレーム体ＬＦＭの上前半部フレーム１２Ｌ、上後半部フレーム１３Ｌ、及び右側フレーム体ＲＦＭの上前半部フレーム１２Ｒ、上後半部フレーム１３Ｒに対応する形状を有し、鍵盤ユニットＫＢがフレームアセンブリＦＡＳに保持されたとき、鍔部４２Ｌ、４３Ｌ、４２Ｒ、４３Ｒとフレーム１２Ｌ、１３Ｌ、１２Ｒ、１３Ｒとの間に僅かな間隙が生じるようになっている。すなわち、鍵盤ユニットＫＢは鍵盤ユニット保持部１６Ｌａ、１６Ｒａで保持され、樹脂で構成される鍔部４２Ｌ、４３Ｌ、４２Ｒ、４３Ｒは、腕木に相当する部分のカバーに過ぎない。
また、図２に示すように、スピーカユニットＳＰの上部には天板３９が固定され、天板３９の左右両端部は鍔状に突出した被保持部３９ａ、３９ｂとなっている。これら被保持部３９ａ、３９ｂを、スピーカユニット保持部１７Ｌａ、１７Ｒａの上に載せ、取り付け穴１７Ｌａａ、１７Ｒａａを介して下方から螺着することで、スピーカユニットＳＰがスピーカユニット保持部１７Ｌａ、１７Ｒａを介して左側フレーム体ＬＦＭ、右側フレーム体ＲＦＭに保持される。鍵盤ユニット保持部１６Ｌａ、１６Ｒａとスピーカユニット保持部１７Ｌａ、１７Ｒａとは高さ方向において近接しているので、スピーカユニットＳＰは鍵盤ユニットＫＢの直下に配置されることになる。また、鍵盤ユニット保持部１６Ｌａ、１６Ｒａとスピーカユニット保持部１７Ｌａ、１７Ｒａとは別個の位置に設けられ、鍵盤ユニットＫＢとスピーカユニットＳＰとは、フレームアセンブリＦＡＳに対してそれぞれ個別に着脱可能である。
【００３５】
ここで、スピーカユニットＳＰの被保持部３９ａ、３９ｂをスピーカユニット保持部１７Ｌａ、１７Ｒａの上に載せ、且つ未だ螺着固定していない状態では、スピーカユニット保持部１７Ｌａ、１７Ｒａは、スピーカユニットＳＰを奥行き方向（前後方向）にスライド移動自在に仮保持する。しかも、スピーカユニットＳＰのスライド移動の際に、スピーカユニットＳＰと、鍵盤ユニット保持部１６Ｌａ、１６Ｒａに保持されている鍵盤ユニットＫＢとは、互いに干渉しないようになっている。具体的には、鍵盤ユニット保持部１６Ｌａ、１６Ｒａは鍵盤ユニットＫＢの底部を支持し、スピーカユニット保持部１７Ｌａ、１７ＲａはスピーカユニットＳＰの上部である天板３９を支持し、且つ、鍵盤ユニット保持部１６Ｌａ、１６Ｒａよりもスピーカユニット保持部１７Ｌａ、１７Ｒａが低い位置にあるので、鍵盤ユニットＫＢの底部とスピーカユニットＳＰの天板３９の上面とが干渉しないようにそれぞれが形成されている。これにより、鍵盤ユニットＫＢが保持されたままであっても、スピーカユニットＳＰを単独で着脱でき、且つスライド移動により容易な動作で着脱作業を行うことができる。
【００３６】
ところで、一般に、棚板は、鍵盤ユニットやスピーカユニット等の構成要素を保持するだと共に、楽器用フレームを補強する役割も果たすため、電子鍵盤楽器においても備えられるのが通常である。しかしながら、本実施の形態の電子鍵盤楽器では、棚板を設けていない。本実施の形態では、鍵盤ユニットＫＢ及びスピーカユニットＳＰは、それぞれの左右両端部に相当する左右端部ＫＢａ１、ＫＢａ２、及び被保持部３９ａ、３９ｂが、鍵盤ユニット保持部１６Ｌａ、１６Ｒａ、及びスピーカユニット保持部１７Ｌａ、１７Ｒａに保持されることから、サイドカバー１６Ｌ、１６Ｒ乃至ステイ部材１７Ｌ、１７Ｒが介在するものの、鍵盤ユニットＫＢ及びスピーカユニットＳＰが、棚板を介することなく、左側フレーム体ＬＦＭ、右側フレーム体ＲＦＭに直接的に固定されている。
【００３７】
これにより、棚板がない構成であっても、鍵盤ユニットＫＢ及びスピーカユニットＳＰがフレームアセンブリＦＡＳに安定して保持される。しかも、スピーカユニットＳＰは鍵盤ユニットＫＢの直下に保持され、棚板等が介在しないので、両者の配線の際に邪魔となる部材がなく、両者間の配線が容易になっている。両者間の配線の態様は、図示はしないが、両者が面対向する広い領域のうち任意の位置を配線位置として選択することが可能である。なお、メイン回路部４０からの電源コード、及び、ペダル鍵盤ユニットＰＫとメイン回路部４０とを接続する配線は、例えば、中空の後側支柱フレーム１４Ｒの内部を通すことも可能である。このようにして、接続配線等を外部から極力見えないようにすることも容易である。
【００３８】
ところで、図２では、鍵盤ユニットＫＢ及びスピーカユニットＳＰについて、各１種類のみが図示されているが、本実施の形態では、鍵盤ユニットＫＢ及びスピーカユニットＳＰを予め複数種類設けておき、そのうちの任意の種類を選択的にフレームアセンブリＦＡＳに固定することで、同一構成のフレームアセンブリＦＡＳを用いて、異なる複数機種の電子鍵盤楽器を、製造段階及び納品後において得ることができるようにしている。
【００３９】
具体的には、フレームアセンブリＦＡＳは各機種で共通であるので、鍵盤ユニット保持部１６Ｌａ、１６Ｒａ、スピーカユニット保持部１７Ｌａ、１７Ｒａの構成も共通である。そこで、設計上、まず、鍵盤ユニットＫＢの両端部ＫＢａ１、ＫＢａ２及びネジ穴４１ａ１、４０ａ１、４１ａ２、４０ａ２の構成を各機種で共通とする。また、スピーカユニットＳＰの少なくとも被保持部３９ａ、３９ｂを各機種で共通とする。
【００４０】
異機種用として、鍵盤ユニットＫＢについては、例えば、機能や操作子を異ならせたり、鍵盤の段数を異ならせたり、鍵盤構造そのものを変えたり（グレード変更等）することが可能である。また、スピーカユニットＳＰについては、例えば、図２に示す例では、スピーカ部が前方にのみ設けられるが、ステージ演奏用に後方にもスピーカ部を設けたもの、あるいは後方にのみスピーカ部を設けたものを別途用意してもよい。特に、スピーカユニットＳＰについては、天板３９を共通としてもよく、そのようにすれば、他の部分の設計を自由に異ならせることが容易である。あるいは、スピーカユニットＳＰについては、左右反転したとき、被保持部３９ａと被保持部３９ｂとが、取り付け上、同じ形状となるように構成し、同一のスピーカユニットＳＰの前後方向の向きを反対にしてスピーカユニット保持部１７Ｌａ、１７Ｒａに保持させることで、納品後においても、スピーカ部の向きに関し、前方または後方のいずれかを選択できるように構成してもよい。
【００４１】
ここで、スピーカユニットＳＰをフレームアセンブリＦＡＳに固定する際には、通常、製造段階では、前方から後方にスライド移動させて固定する。しかし、図３（ｂ）に示すように、上側連結体２０ＡＳはスピーカユニットＳＰの天板３９より高い位置にあって、天板３９と干渉しないようになっている。そのため、スピーカユニットＳＰを後方から前方にスライド移動させて固定することも可能である。特に、納品後においては、鍵盤ユニットＫＢの前部下部に設けられた、音量や楽音効果調整用の操作部等が邪魔になる場合があるため、スピーカユニットＳＰを後方に抜き差しする方が作業容易な場合が多い。
【００４２】
なお、ペダル鍵盤ユニットＰＫについても、各機種で、係止部１０Ｌ、１０Ｒ等の構成を共通とすることで、鍵盤ユニットＫＢ等と同様に、同一のフレームアセンブリＦＡＳで多機種を実現することができる。
【００４３】
ところで、上述したように、フレームアセンブリＦＡＳは、後側支柱フレーム１４Ｌと後側支柱フレーム１４Ｒとが上側連結体２０ＡＳ及び下側連結体３０ＡＳで連結されることで構成される。従って、フレームアセンブリＦＡＳは、平面視において奏者側が開口した略コ字状を呈し、単独では、開口側の開閉方向への力に対して最も弱い。しかしながら、上記のように鍵盤ユニット保持部１６Ｌａ、１６Ｒａに鍵盤ユニットＫＢをネジ止め固定することで、フレームアセンブリＦＡＳの開口側の開閉方向の動きが規制されるようになっている。これにより、完成後の電子鍵盤楽器においては、フレームアセンブリＦＡＳは、開口側が開閉方向に動かないようになり、あらゆる方向に対して高い剛性を実現することができる。しかも、スピーカユニットＳＰのスピーカユニット保持部１７Ｌａ、１７Ｒａへの固定、及びペダル鍵盤ユニットＰＫのＰＫ取付部１８Ｌ、１８Ｒへの取り付け固定によっても電子鍵盤楽器全体の剛性確保に寄与している。
【００４４】
本実施の形態によれば、フレームアセンブリＦＡＳに、それぞれ複数種類の鍵盤ユニットＫＢ、スピーカユニットＳＰのうち任意の種類のものを選択的に保持させることが可能であるので、異機種間でフレームアセンブリＦＡＳを共用化して、少ない部品点数にて多機種の製造及び納品後の改変を実現することができるだけでなく、鍵盤ユニットＫＢとスピーカユニットＳＰの個別交換乃至着脱を容易にすることができる。
【００４５】
さらに、保持された鍵盤ユニットＫＢと干渉することなく、スピーカユニットＳＰを奥行き方向にスライド移動自在に仮保持させた後に固定できるので、鍵盤ユニットＫＢが固定されたままでも、スピーカユニットＳＰを単独で容易に着脱することができる。特に、メンテナンス時にも作業が容易である。
【００４６】
また、鍵盤ユニットＫＢ及びスピーカユニットＳＰの各左右両端部を左側フレーム体ＬＦＭ、右側フレーム体ＲＦＭに直接的に固定し、棚板を不要としたので、両者間の接続配線を容易にすることができる。
【００４７】
さらに、鍵盤ユニットＫＢ等を固定することで、フレームアセンブリＦＡＳの開口側の開閉方向の動きが規制されるので、電子鍵盤楽器全体の高い剛性を確保することができる。その際、鍵盤ユニットＫＢは必須構成要素であるので、構成がいたずらに複雑化することもない。特に、図３（ｂ）に示すように、上側連結体２０ＡＳ、鍵盤ユニット保持部１６Ｌａ、１６Ｒａ、及びスピーカユニット保持部１７Ｌａ、１７Ｒａは、フレームアセンブリＦＡＳ全体からみれば、略同一平面上に配置されているので、上側連結体２０ＡＳ、鍵盤ユニットＫＢ及びスピーカユニットＳＰが協働してフレームアセンブリＦＡＳの剛性確保に寄与している。
【００４８】
かかる観点からは、下記に例示するように、上側連結体２０ＡＳと略同一平面上に配置される保持部は、上記鍵盤ユニットＫＢやスピーカユニットＳＰ用の保持部に限定されるものではなく、それらの数も限定されない。
【００４９】
図５は、本実施の形態の変形例に係る電子鍵盤楽器の部分平面図であり、鍵盤ユニットＫＢの図示が省略されている。同図において、上側連結体２０ＡＳ、左側フレーム体ＬＦＭ、右側フレーム体ＲＦＭ、左サイドカバー１６Ｌ、右サイドカバー１６Ｒの配置及び構成は上記したのと同様である。本変形例では、鍵盤ユニット保持部１６Ｌａ、１６Ｒａ上において、ステイ部材１７Ｌ、１７Ｒの前方に、ミキサ用保持部材３６Ｌ、３６Ｒがさらに設けられる。そして、ミキサ用保持部材３６Ｌ、３６Ｒ間にミキサ用ステイ３７が掛け渡され、ミキサ用ステイ３７上にミキサ３８が固定される。ミキサ用保持部材３６Ｌ、３６Ｒがミキサ用ステイ３７を保持する高さ方向の位置は、スピーカユニット保持部１７Ｌａ、１７Ｒａ（図３（ｂ）参照）と同じである。
【００５０】
上記変形例の場合、フレームアセンブリＦＡＳ全体からみれば、鍵盤ユニット保持部１６Ｌａ、１６Ｒａに対して、ミキサ用保持部材３６Ｌ、３６Ｒも略同一平面上に位置するので、鍵盤ユニットＫＢ及びスピーカユニットＳＰに加えて、ミキサ用ステイ３７によってもフレームアセンブリＦＡＳの剛性が高まる。なお、ミキサ用ステイ３７上に固定される構成要素は、ミキサ３８に限定されず、他の各種構成要素を採用可能である。
【００５１】
なお、本実施の形態において、連結体として上側連結体２０ＡＳ及び下側連結体３０ＡＳの２本を例示したが、本数は例示したものに限定されない。
【００５２】
なお、上側連結体２０ＡＳ及び下側連結体３０ＡＳの長さを変えることで、鍵数の異なる鍵盤ユニットＫＢ、特に横幅の異なる鍵盤ユニットＫＢに対して同じ左側フレーム体ＬＦＭ及び右側フレーム体ＲＦＭを用いることができる。
また、ペダル鍵盤ユニットＰＫについては、これを当初から設けない電子鍵盤楽器についても本発明を適用可能である。
【図面の簡単な説明】
【００５３】
【図１】本発明の一実施の形態に係る電子鍵盤楽器の外観斜視図である。
【図２】同電子鍵盤楽器の分解斜視図である。
【図３】左サイドカバー及びその関連部品の外観斜視図（図（ａ））、及び同図（ａ）のＢ−Ｂ線に沿う本電子鍵盤楽器の部分断面図（図（ｂ））である。
【図４】鍵盤ユニットの下面図である。
【図５】本実施の形態の変形例に係る電子鍵盤楽器の部分平面図である。
【符号の説明】
【００５４】
１４Ｌ、１４Ｒ  後側支柱フレーム（脚体の後部）、  １６Ｌａ、１６Ｒａ  鍵盤ユニット保持部、  １７Ｌａ、１７Ｒａ  スピーカユニット保持部（音響発生ユニット保持部）、  ２０ＡＳ  上側連結体（連結体）、  ３０ＡＳ  下側連結体（連結体）、  ３９ａ、３９ｂ  被保持部（左右両端部）、  ４０  メイン回路部、  ４１  鍵盤部、  ＦＡＳ  フレームアセンブリ（楽器用フレーム）、  ＬＦＭ  左側フレーム体（脚体）、  ＲＦＭ  右側フレーム体（脚体）、  ＫＢ  鍵盤ユニット、  ＫＢａ１  左端部、  ＫＢａ２  右端部、  ＳＰ  スピーカユニット（音響発生ユニット）、  ＰＫ  ペダル鍵盤ユニット
【図１】
2005099443.tif 000003
【図２】
2005099443.tif 000004
【図３】
2005099443.tif 000005
【図４】
2005099443.tif 000006
【図５】
2005099443.tif 000007